(57)【要約】      （修正有）【課題】安定して腰を掛けることができ、浴槽底に定着する浴槽内用腰掛けを提供する。【解決手段】座部と脚部から成り、脚部に簡易な吸着手段と着脱手段を設けたことを特徴とする。座部と脚部と吸着・着脱手段は一体化成形で得られる。【選択図】図１
0003153289.tif 000002
【実用新案登録請求の範囲】
【請求項１】
座部と脚部から成る木製腰掛けであって、脚部に簡易な吸着手段を設け、水中の浴槽底に定着することを特徴とする浴槽内用木製腰掛け。
【請求項２】
脚部に簡易な着脱手段を設けたことを特徴とする請求項１に記載の浴槽内用木製腰掛け。
【請求項３】
座部と脚部と吸着・着脱手段の一体化成形で得られたことを特徴とする請求項１および２に記載の浴槽内用腰掛け。
【考案の詳細な説明】
【技術分野】
【０００１】  本考案は、水中では浮力が高く水面に浮き上がる木製腰掛けを水中の浴槽底に定着させるために、脚部底面に簡便な吸着手段と脚部内側側面に簡便な着脱手段を具備した浴槽内用木製腰掛けに関するものである。
【背景技術】
【０００２】  浴槽内で椅子に腰掛けて入浴する場合、木製腰掛けは水中での浮力が高く、腰掛けにくく、浴槽底に定着せず、落ち着いて入浴できない欠点がある。
なお、関連技術Ａ４７Ｋ３／１２、Ｄ７−２５４、Ｄ５−３１９４の出願登録物件を検索したが、上述の問題点を解決している本考案の脚部底面に簡易な吸着手段と脚部内側側面に簡易な着脱手段を有し、浴槽底に簡便に吸着し、且つ簡便に着脱・移動できる半身浴・半寝浴（はんねよく：本考案者の造語で、腰掛けに座り、半仰臥の姿勢で背中と肩は湯に浸かり、胸部から腹部にかけては水圧から解放する入浴法）・寝浴のための浴槽内用木製腰掛けの類似物件は見当たらない。
【考案の開示】
【考案が解決しようとする課題】
【０００３】  浴槽内用木製腰掛けの脚部底面に簡易な吸着手段を設け、脚部内側側面に簡易な着脱手段を設けて、木製腰掛けが浴槽底に容易に定着し、また着脱することができることにより、前述の水中での木製腰掛けの浮上の欠点を解決しようとするものである。
【課題を解決するための手段】
【０００４】  本考案は、木製腰掛けの左右脚部の底面に浴槽底の損傷防止を兼ねた吸着盤を装着することにより、請求項１の木製腰掛けを水中の浴槽底に定着させることができる。また、浴槽底に吸着し、定着している木製腰掛けを簡便に外すためには、請求項２の手段を具備することより、浴槽底に吸着している複数の吸着盤を簡便にほぼ同時に着脱し、腰掛けを容易に浴槽底から外し、移動することができる。また、合成樹脂等適宜素材にて座部と脚部と脚部底面装着の吸着盤を一体化成形で得られた請求項３の腰掛けにより、前述の問題点を解決している。
【考案の効果】
【０００５】  本考案の浴槽内用木製腰掛けの特徴である水中の浴槽底に容易に定着することにより、腰を下ろし易くし、木が持つ特有の温もりと優しさと香りを楽しみながら、落ち着いて半身浴・半寝浴・寝浴を可能にする。また、腰掛けの座高の高低を調節することにより、介護人を介した高齢者・身障者等の半身浴・半寝浴・寝浴の腰掛けとしても利用できる。
【考案を実施するための最良の形態】
【０００６】  座部と左右脚部から成る木製腰掛けの脚部は、脚部底面の前部と後部に図４の５に示す吸着盤を装着し、水中の浴槽底に吸着する脚部である。吸着盤装着手段は、当業者公知の任意の手段を使用することができる。例えば、脚部底面の吸着盤取り付け位置に穴を開けで、図４の８に示す吸着盤首部（頭部とも言う）を埋め込み、木ネジ又は接着剤で装着することができる。また浴槽底に吸着している脚部底面の全ての吸着盤を簡易に軽微な力でほぼ同時に浴槽底から着脱させるために、左右脚部内側側面の上部中央から図４の９に示す丸カン付曲げチューブを有する１本のボールチェーンを左右に分けて吊り下ろし、ボールチェーンの両先端は、同じ脚部底面前後に装着の吸着盤摘み（符号１２、図省略）に付着している。ボールチェーン先端を吸着盤摘みに付着させる手段は、当業者公知の任意の手段を使用することができる。例えば、図４の６に示すボールチェーンの先端にカップリング（符号１０、図省略）を取り付ける。ボールチェーンに取り付けたカップリングを脚部底面に装着している吸着盤摘みに挟み、開いた丸カン（符号１１、図省略）をカップリングの穴と吸着盤の摘み穴に通して、丸カンを閉じ、ボールチェーンを吸着盤に付着させる。ボールチェーンを通した上述の図４の９の丸カン付曲げチューブは、左右脚部内側側面の上部中央の図４の７のヒートンに図４の１３の丸カンを介して取り付けてある。この丸カン付曲げチューブの中心点とボールチェーンが付着している各吸着盤摘みの間の長さはほぼ同じにしてある。従って、上述の左右脚部の図３の９の丸カン付曲げチューブ凹面の真ん中を両手左右の指先で同時に軽く上に引くことで、水中の浴槽底に吸着している全ての吸着盤摘み箇所がほぼ同時に上に開き、全ての吸着盤が浴槽底からほぼ同時に着脱し、定着している木製腰掛けは容易に外れ、移動することができる。
【実施例】
【０００７】  以下、添付図面に従って一実施例を説明する。図１はヒノキの座板から成る緩やかな浅い凹面状片流れ傾斜座部とヒノキの脚板から成る左右脚部の内側側面上部中央にある丸カン付曲げチューブに通したボールチェーンを脚部前後に二分して吊り下げ、そのボールチェーン付着の吸着盤を脚部底面の前後に装着した浴槽内用木製腰掛け本体の全体図である。図２は腰掛け本体の正面図である。【０００８】  図４の左右脚部底面は、カップリングと丸カンを介したボールチェーン付着の吸着盤を前後に装着ている。腰を下ろす位置の浴槽底に腰掛けを置き、座部の左右両端を両手で上から軽く押す圧力で、または座部に腰を下ろし、腰掛けた圧力で左右脚部底面の吸着盤が浴槽底に吸着し、木製腰掛けは浮上することなく浴槽底に定着し、落ち着いて半身浴・半寝浴・寝浴をすることができる。【０００９】  左右脚部内側側面の上部中央から吊り下げた図４の９のカン付曲げチューブを有する図４の６のボールチェーンは、上述の上部中央からほぼ等分に左右に分け、その両先端はカップリングと丸カンを介して脚部底面前後の吸着盤摘みに装着している。【００１０】  左右脚部内側側面の上部中央にある前述の図３の９のカン付曲げチューブ凹面の中心部を両手左右の指先で同時に軽く上に引くことで、浴槽底に吸着している全ての吸着盤がほぼ同時に着脱し、定着している腰掛けは容易に外れ、移動することができる。【００１１】  本考案の一実施例は、上述の通り請求項１の脚部底面に複数の吸着盤を装着し、水中の浴槽底に吸着させて、水面に浮上しない木製腰掛けと請求項２の吸着している全ての吸着盤を両手左右の指先の軽微な力で、ほぼ同時に簡便に着脱できることを特徴とする木製腰掛けである。請求項３の吸着盤装着の一体化成形で得られたことを特徴とする浴槽内用腰掛けは、ポリプロピレンやメタクリル樹脂等の合成樹脂適宜素材で多種多様な形状で製造することが可能である。
【図面の簡単な説明】
【００１２】
【図１】  本考案の浴槽内用木製腰掛け全体図を示す。
【図２】  本考案の浴槽内用木製腰掛け正面図を示す。
【図３】  本考案の浴槽内用腰掛け側面図を示す。
【図４】  本考案の浴槽内用木製腰掛けの見上げ図を示す。
【図５】  本考案の浴槽内腰掛けを使用した半寝浴の姿勢例を示す。
【符号の説明】
【００１３】  １  座部
２  右脚部
３  左脚部
４  支柱
５  吸着盤（穴あき摘み付）
６  ボールチェーン
７  ヒートン
８  吸着盤取り付けネジ
９  丸カン付曲げチューブ
１０  カップリング（○印にて図省略、明細書０００６参照）
１１  丸カン（○印にて図省略、明細書０００６参照）
１２  吸着盤摘み（５の吸着盤と一体化成形、○印にて図省略、明細書０００６参照）
１３  丸カン付曲げチューブ吊り下げ用丸カン
【図１】
0003153289.tif 000003
【図２】
0003153289.tif 000004
【図３】
0003153289.tif 000005
【図４】
0003153289.tif 000006
【図５】
0003153289.tif 000007
【手続補正書】
【提出日】平成21年6月3日(2009.6.3)
【手続補正１】
【補正対象書類名】実用新案登録請求の範囲
【補正対象項目名】請求項３
【補正方法】変更
【補正の内容】
【請求項３】
座部と脚部と吸着・着脱手段の一体化成形で得られたことを特徴とする請求項１または２記載の浴槽内用腰掛け。